(57)【要約】【課題】  従来、断熱特性を高めるために十分な厚さを有するユカパネル（下葺き材）の構造がある。この発明は、厚さを、例えば、１ｃｍ〜２ｃｍとする構造であることを主体として、発泡スチロールの断熱効果を利用することに留まることから、瓦の温度上昇が、約７０〜８０℃程度になる場合には、熱の放散及び／又は断熱（遮断）には、不向きと考えられる。【構成】  本発明は、屋根のルーフィングの上に葺設される桁方向に長く、瓦棧間に葺設される発泡樹脂の下葺き材で、下葺き材の短手方向の一方の上面側に被せ片を延設しこの被せ片は長手方向に延設し、下葺き材の短手方向の他方の下面側に衝突片を延設し、この衝突片は長手方向に延設し、被せ片を、瓦棧の軒側上面に被せ葺きし、衝突片を、下の瓦棧の棟側端面に圧接する下葺き材で、屋根の断熱効果と、防音効果を図る。【選択図】      図１
2011021326.tif 000002
【特許請求の範囲】
【請求項１】
屋根のルーフィングの上に葺設される桁方向に長く、かつ瓦棧間に葺設される発泡樹脂の下葺き材であり、
この下葺き材の短手方向の一方の上面側に被せ片を延設し、また、この被せ片を、その長手方向に延設する構成とし、
また、この下葺き材の短手方向の他方の下面側に衝突片を延設し、また、この衝突片を、その長手方向に延設する構成とし、
前記被せ片を、屋根の上の瓦棧の軒側上面に被せ葺きし、また、前記衝突片を、屋根の下の瓦棧の棟側端面に圧接して葺設する構成とした屋根発泡下葺き材の構造。
【請求項２】
請求項１に記載の屋根発泡下葺き材の構造であって、
前記下葺き材は、その軒側の上下面を肉厚部とし、順次、肉薄形状となり、中間肉厚部を経て、その棟側の上下面を、肉薄部となる三角形状の側端面とする構成とした屋根発泡下葺き材の構造。
【請求項３】
請求項１に記載の屋根発泡下葺き材の構造であって、
前記下葺き材に被せ片を延設した棟側端面に、この棟側端面の上下方向で、かつ棟側に向かって突設した多数の突条を形成し、この突条を、前記屋根の上の瓦棧の軒側端面に圧接する構成とした屋根発泡下葺き材の構造。
【請求項４】
請求項１に記載の屋根発泡下葺き材の構造であって、
前記下葺き材の裏面がフラットな構造において、この裏面に換気用、又は雨水用の切溝を、一条、又は数条設ける構成とした屋根発泡下葺き材の構造。
【請求項５】
屋根のルーフィングの上に葺設される桁方向に長く、かつこの瓦棧間に葺設される発泡樹脂の下葺き材であり、
この下葺き材の短手方向の他方の下面側に衝突片を延設し、また、この衝突片を、その長手方向に延設する構成とし、
前記衝突片を、屋根の下の瓦棧の棟側端面に圧接して葺設する構成とした屋根発泡下葺き材の構造。
【請求項６】
屋根のルーフィングの上で、かつ勾配方向に間隔をおいて敷設される多数の瓦棧と、この屋根の桁方向に長く、かつこの瓦棧間に葺設される発泡樹脂の下葺き材を利用し、この屋根地に多数枚の瓦を葺設する葺設方法であって、
この下葺き材の被せ片を、上の瓦棧の上面に被せるとともに、この下葺き材の棟側端面を、上の瓦棧の軒側端面に当接し、また、この下葺き材の衝突片の軒側端面を、下の瓦棧の棟側端面に当接して葺設し、
上下の瓦棧間に敷設した下葺き材の上面に、瓦を葺設するとともに、この上の瓦棧の棟側端面に、この瓦の引掛けの頭側端面を係止するとともに、この下葺き材の衝突片の上面に、下の瓦の引掛けの下面を当接して葺設する構成とした屋根発泡下葺き材を利用して瓦を葺設する葺設方法。
【発明の詳細な説明】
【技術分野】
【０００１】
本発明は、ルーフィングと瓦との間に葺設される屋根発泡下葺き材の構造と、屋根発泡下葺き材を利用して瓦を葺設する葺設方法に関する。
【背景技術】
【０００２】
従来は、屋根の葺設は、屋根地に、防水性のルーフィングを葺設し、このルーフィングの瓦棧（瓦棧木）を適宜間隔で固止し、この瓦棧に、瓦の引掛けを係止し、かつ釘止めで葺設を完了する。そして、その後は、この葺設作業の繰り返しである。この従来の葺設作業では、瓦が担持する寒暖は、直接、ルーフィングに影響することと、屋根地に伝達されることから、屋根裏の高熱と、結露、又は酷寒に晒される問題がある。この改良として、ルーフィング（ルーフィング材）、瓦（屋根材）の品質改良と、瓦の葺設構造等が研究されている。しかし、この目的を達成するには、更なる改良が望まれる処である。
【０００３】
上記に鑑み、この改良の一環として、先行文献を基に、文献（１）〜（４）として説明する。
【０００４】
文献（１）は、特開２００８−２１４９３４の「建築用下地材」であり、ルーフィングの改良である（明細書の［０００１］に記載の「屋根下葺材又は壁のラス下地材、床の下地材等として用いる建築用下地材」と、「シート状基材」の言葉）。そして、この発明は、夏季では、太陽光線で熱せられて約７０〜８０℃程度に温度上昇した瓦が放散する熱を遮断できず、屋根地から、屋根裏等を介して、室内に伝わり、この室内温度が上昇する。従って、冷房に多くのエネルギーを消費し、かつ資源の無駄となることと、一方、冬季では、暖房装置で暖められた空気が上昇し、屋根裏から、屋根地と瓦等を介して、室外に逃げ、室内の温度が下がる。従って、室内暖房に多くのエネルギーと、資源を要すること等の課題を解決することを意図し、シート状基材（明細書の［００２５］に記載の「シート状基材１１は、屋根下葺材１０の芯材となるもので、例えばポリエチレンなどの合成樹脂により厚さが１ｍｍ前後のシート状に形成されている。」）の少なくとも片方の面に遮熱材を配設し、このシート状基材を建物の外部側（壁）、又は野地板の上面にシート状の屋根下葺材を敷設し、この屋根下葺材の上に瓦を葺設し、壁、又は瓦からの熱を遮断し室内外における熱の通過（伝達と逃避）を低減し、二次的に建物の省エネルギー化と、資源の有効利用を推進しようとする建築用下地材を提供する。
【０００５】
文献（２）は、特開２００２−２２７３５２の「防滑性屋根下葺き材」であり、ルーフィングの改良である（明細書の［０００２］に記載の「従来の技術」において、各種の構造のルーフィングフェルトを例示する）。そして、この発明は、防滑性と生産性に優れた屋根下葺き材を提供するものであり、梨子地面（微細な凹凸）を備えた発泡合成樹脂でなる防滑層と、シート状補強層と、アスファルトでなる防水層で形成した屋根下葺き材であり、この防滑層は、滑り角３０°以上の防滑性能を有する構成の防滑性屋根下葺き材である。そして、このシート状補強層は、紙、織物、編物、不織布、フィルム、ネット、フェルト等のシート状基材（明細書の［０００８］に記載の如く）とし、かつこのシート状基材を構成する素材は、ポリエステル、ポリオレフィン、ナイロン、アクリル等の通常の合成繊維材料（明細書の［０００９］に記載の如く）で構成する。
【０００６】
また、文献（３）は、特開２００３−１８４２３３の「断熱性を有する勾配屋根の瓦葺き構造及びその施工方法」であり、明細書の［００２７］と、［００２８］、並びに図６において、立体的な断熱シート（２２０）の構造が記載されており、この立体的な断熱シート（２２０）は、瓦の形状に近似する表面を備えたユカパネルで、このユカパネルは、断熱特性を高めるために十分な厚さが所望され、例えば、１インチ〜２インチとする（明細書の［００２７］に記載）。
【０００７】
さらに、文献（４）は、特開平１０−２５２２２４号の「屋根材とその取付構造及び製造方法」であり、明細書の［００２１］と、図１（Ｂ）において、断熱材を下面に付設した屋根材が開示されている。即ち、屋根材は繊維によって補強された高強度コンクリートの成形品であるため強度が大きく、その下面には断熱材が一体的に接合されているから、屋根材の補強や断熱材の取り付けのための野地板の張り込みが不要である。
【０００８】
【特許文献１】特開２００８−２１４９３４
【特許文献２】特開２００２−２２７３５２
【特許文献３】特開２００３−１８４２３３
【特許文献４】特開平１０−２５２２２４号
【発明の開示】
【発明が解決しようとする課題】
【０００９】
前記文献（１）は、ルーフィングの改良で、合成樹脂のシート状基材の少なくとも片方の面に遮熱材を配設した構造である。この発明は、長尺物のシート状基材を、屋根地の長手方向に展開し、この長手方向の全体に敷設する構造であり、この発明は、遮熱材一枚の敷設による断熱効果である。従って、建築物の壁には有効と考えられる。しかし、屋根地に敷設するルーフィングとして使用するには、遮熱効果が十分とは考えられない。その理由は、瓦の温度上昇が、前述した如く、約７０〜８０℃程度になることから、熱の放散及び／又は断熱（遮断）には、不向きと考えられる。
【００１０】
また、文献（２）は、ルーフィングの改良で、合成樹脂のシート状基材に、二層のアスファルト層を設けた構造であり、防滑性を図ることを意図する。従って、従来のルーフィングの耐亀裂性・破損性・防滑性の確保にある。しかしながら、断熱効果を図るには、十分でない。
【００１１】
さらに、文献（３）は、断熱特性を高めるために十分な厚さを有するユカパネルであり、その厚さを、例えば、１インチ〜２インチとする構造である。しかし、この発明は、発泡スチロールの断熱効果を利用することに留まることから、前述の如く、瓦の温度上昇が、約７０〜８０℃程度になることから、熱の放散及び／又は断熱（遮断）には、不向きと考えられる。
【００１２】
尚、文献（４）は、屋根材の下面に直接、断熱材を設けた構造であり、屋根材が高温となった場合には、直接、その熱が断熱材に伝達されることから、断熱効果が発揮されることは考えられなく、改良の余地がある。そして、この発明では、屋根材の搬送時、又は葺設作業時において、下面の断熱材を傷める虞があり、殊に、結束時において、その危険性があり、取扱いに苦慮することがあり得る。
【課題を解決するための手段】
【００１３】
請求項１の発明は、次に挙げる特徴を発揮できる下葺き材を提供する。
「１」  下葺き材の短手方向の一方の上面側に被せ片を延設し、また、被せ片を、長手方向に延設する構成とし、そして、また、下葺き材の短手方向の他方の下面側に衝突片を延設し、また、衝突片を、その長手方向に延設する構成とし、瓦棧の間に、確実に葺設し、かつルーフィングの上の熱気を遮断すること。
「２」  下葺き材の被せ片を、屋根の瓦棧の軒側上面に被せ葺きし、また、下葺き材の衝突片を、屋根の他の瓦棧の棟側端面に圧接して葺設する構成とし、瓦棧間に、確実かつ安定して葺設すること、また、瓦棧の取付け間隔に対応すること。
「３」  前記「１」と「２」の葺設をすることで、屋根の断熱効果と、防音効果を図る。
「４」  瓦とは切離した下葺き材であり、その取扱い、例えば、搬送、葺設時を始めとして、結束時において、容易な取扱いを図ること、使い勝手を良くすること。
「５」  屋根裏に熱のこもり、及び／又は、雨水の滞留がなく、劣化の要因を排除すること。
【００１４】
請求項１は、屋根のルーフィングの上に葺設される桁方向に長く、かつ瓦棧間に葺設される発泡樹脂の下葺き材であり、
この下葺き材の短手方向の一方の上面側に被せ片を延設し、また、この被せ片を、その長手方向に延設する構成とし、
また、この下葺き材の短手方向の他方の下面側に衝突片を延設し、また、この衝突片を、その長手方向に延設する構成とし、
前記被せ片を、屋根の上の瓦棧の軒側上面に被せ葺きし、また、前記衝突片を、屋根の下の瓦棧の棟側端面に圧接して葺設する構成とした屋根発泡下葺き材の構造である。
【００１５】
請求項２の発明は、次に挙げる特徴を発揮できる下葺き材を提供する。
「６」  請求項１の意図を達成すること。
「７」  下葺き材の被せ片を、屋根の瓦棧の軒側上面に被せ葺きし、また、下葺き材の衝突片を、屋根の他の瓦棧の棟側端面に圧接して葺設する構成とし、瓦棧間に、確実かつ安定して葺設すること、また、従来の瓦の葺設に対応すること。
「８」  瓦の葺き勾配に対応した下葺き材を提供すること。
【００１６】
請求項２は、請求項１に記載の屋根発泡下葺き材の構造であって、
前記下葺き材は、その軒側の上下面を肉厚部とし、順次、肉薄形状となり、中間肉厚部を経て、その棟側の上下面を、肉薄部となる三角形状の側端面とする構成とした屋根発泡下葺き材の構造である。
【００１７】
請求項３の発明は、次に挙げる特徴を発揮できる下葺き材を提供する。
「９」  請求項１の意図を達成すること。
「１０」  屋根地に葺設した瓦棧の間隔に有効に対処すること、断熱効果を維持すること。また、従来の瓦の葺設に対応すること。
「１１」  瓦の葺き勾配に対応した下葺き材を提供すること。
【００１８】
請求項３は、請求項１に記載の屋根発泡下葺き材の構造であって、
前記下葺き材に被せ片を延設した棟側端面に、この棟側端面の上下方向で、かつ棟側に向かって突設した多数の突条を形成し、この突条を、前記屋根の上の瓦棧の軒側端面に圧接する構成とした屋根発泡下葺き材の構造である。
【００１９】
請求項４の発明は、次に挙げる特徴を発揮できる下葺き材を提供する。
「１２」  請求項１の意図を達成すること。
「１３」  ルーフィング（屋根地）及び／又は下葺き材の蒸れ防止と、雨仕舞の有効性を確保すること、断熱効果を維持すること、また、従来の瓦の葺設に対応すること。
【００２０】
請求項４は、請求項１に記載の屋根発泡下葺き材の構造であって、
前記下葺き材の裏面がフラットな構造において、この裏面に換気用、又は雨水用の切溝を、一条、又は数条設ける構成とした屋根発泡下葺き材の構造である。
【００２１】
請求項５は、次に挙げる特徴を発揮できる下葺き材を提供する。
「１４」  下葺き材の短手方向の他方の下面側に衝突片を延設し、また、衝突片を、その長手方向に延設する構成とし、瓦棧の間に、確実に葺設し、かつルーフィングの上の熱気を遮断すること。
「１５」  下葺き材の衝突片を、屋根の他の瓦棧の棟側端面に圧接して葺設する構成とし、瓦棧間に、確実かつ安定して葺設すること、また、瓦棧の取付け間隔に対応すること。
「１６」  前記「１４」と「１５」の葺設をすることで、屋根の断熱効果と、防音効果を図る。
「１７」  瓦とは切離した下葺き材であり、その取扱い、例えば、搬送、葺設時を始めとして、結束時において、容易な取扱いを図ること、使い勝手を良くすること。
「１８」  屋根裏に熱のこもり、及び／又は、雨水の滞留がなく、劣化の要因を排除すること。
【００２２】
請求項５は、屋根のルーフィングの上に葺設される桁方向に長く、かつこの瓦棧間に葺設される発泡樹脂の下葺き材であり、
この下葺き材の短手方向の他方の下面側に衝突片を延設し、また、この衝突片を、その長手方向に延設する構成とし、
前記衝突片を、屋根の下の瓦棧の棟側端面に圧接して葺設する構成とした屋根発泡下葺き材の構造である。
【００２３】
請求項６の発明は、次に挙げる特徴を発揮できる下葺き材を利用して瓦を葺設する方法を提供する。
「１９」  請求項１の意図を達成すること。
「２０」  屋根勾配に添って、瓦及び／又は下葺き材等の容易な葺設と、施工をすること。
「２１」  屋根の断熱効果と、防音効果をすること。
「２２」  下葺き材の歪み防止と、釘なし・簡易な作業で施工をすること。
【００２４】
請求項６は、屋根のルーフィングの上で、かつ勾配方向に間隔をおいて敷設される多数の瓦棧と、この屋根の桁方向に長く、かつこの瓦棧間に葺設される発泡樹脂の下葺き材を利用し、この屋根地に多数枚の瓦を葺設する葺設方法であって、
この下葺き材の被せ片を、上の瓦棧の上面に被せるとともに、この下葺き材の棟側端面を、上の瓦棧の軒側端面に当接し、また、この下葺き材の衝突片の軒側端面を、下の瓦棧の棟側端面に当接して葺設し、
上下の瓦棧間に敷設した下葺き材の上面に、瓦を葺設するとともに、この上の瓦棧の棟側端面に、この瓦の引掛けの頭側端面を係止するとともに、この下葺き材の衝突片の上面に、下の瓦の引掛けの下面を当接して葺設する構成とした屋根発泡下葺き材を利用して瓦を葺設する葺設方法である。
【発明の効果】
【００２５】
請求項１の発明は、屋根のルーフィングの上に葺設される桁方向に長く、かつ瓦棧間に葺設される発泡樹脂の下葺き材であり、
下葺き材の短手方向の一方の上面側に被せ片を延設し、また、被せ片を、長手方向に延設する構成とし、
また、下葺き材の短手方向の他方の下面側に衝突片を延設し、また、衝突片を、長手方向に延設する構成とし、
被せ片を、屋根の上の瓦棧の軒側上面に被せ葺きし、また、衝突片を、屋根の下の瓦棧の棟側端面に圧接して葺設する構成とした屋根発泡下葺き材の構造である。
【００２６】
従って、請求項１は、次に挙げる特徴を発揮できる下葺き材を提供できる。
「１」  下葺き材の短手方向の一方の上面側に被せ片を延設し、また、被せ片を、長手方向に延設する構成とし、そして、また、下葺き材の短手方向の他方の下面側に衝突片を延設し、また、衝突片を、その長手方向に延設する構成とし、瓦棧の間に、確実に葺設し、かつルーフィングの上の熱気を遮断できること。
「２」  下葺き材の被せ片を、屋根の瓦棧の軒側上面に被せ葺きし、また、下葺き材の衝突片を、屋根の他の瓦棧の棟側端面に圧接して葺設する構成とし、瓦棧間に、確実かつ安定して葺設すること、また、瓦棧の取付け間隔に対応できること。
「３」  前記「１」と「２」の葺設をすることで、屋根の断熱効果と、防音効果を図る。
「４」  瓦とは切離した下葺き材であり、その取扱い、例えば、搬送、葺設時を始めとして、結束時において、容易な取扱いができること、使い勝手が良いこと。
「５」  屋根裏に熱のこもり、及び／又は、雨水の滞留がなく、劣化の要因を排除できること。
【００２７】
請求項２の発明は、請求項１に記載の屋根発泡下葺き材の構造であって、
下葺き材は、軒側の上下面を肉厚部とし、順次、肉薄形状となり、中間肉厚部を経て、棟側の上下面を、肉薄部となる三角形状の側端面とする構成とした屋根発泡下葺き材の構造である。
【００２８】
従って、請求項２は、次に挙げる特徴を発揮できる下葺き材を提供できる。
「６」  請求項１の意図を達成できること。
「７」  下葺き材の被せ片を、屋根の瓦棧の軒側上面に被せ葺きし、また、下葺き材の衝突片を、屋根の他の瓦棧の棟側端面に圧接して葺設する構成とし、瓦棧間に、確実かつ安定して葺設できること、また、従来の瓦の葺設に対応できること。
「８」  瓦の葺き勾配に対応した下葺き材を提供できること。
【００２９】
請求項３の発明は、請求項１に記載の屋根発泡下葺き材の構造であって、
下葺き材に被せ片を延設した棟側端面に、棟側端面の上下方向で、かつ軒側に向かって突設した多数の突条を形成し、突条を、屋根の上の瓦棧の軒側端面に圧接する構成とした屋根発泡下葺き材の構造である。
【００３０】
従って、請求項３は、次に挙げる特徴を発揮できる下葺き材を提供する。
「９」  請求項１の意図を達成できること。
「１０」  屋根地に葺設した瓦棧の間隔に有効に対処できること、断熱効果を維持できること、また、従来の瓦の葺設に対応できること。
「１１」  瓦の葺き勾配に対応した下葺き材を提供できること。
【００３１】
請求項４の発明は、請求項１に記載の屋根発泡下葺き材の構造であって、
下葺き材の裏面がフラットな構造において、裏面に換気用、又は雨水用の切溝を、一条、又は数条設ける構成とした屋根発泡下葺き材の構造である。
【００３２】
従って、請求項４は、次に挙げる特徴を発揮できる下葺き材を提供する。
「１２」  請求項１の意図を達成できること。
「１３」  ルーフィング（屋根地）及び／又は下葺き材の蒸れ防止と、雨仕舞の有効性を確保できること、断熱効果を維持できること、また、従来の瓦の葺設に対応できること。
【００３３】
請求項５は、次に挙げる特徴を発揮できる下葺き材を提供する。
「１４」  下葺き材の短手方向の他方の下面側に衝突片を延設し、また、衝突片を、その長手方向に延設する構成とし、瓦棧の間に、確実に葺設し、かつルーフィングの上の熱気を遮断すること。
「１５」  下葺き材の衝突片を、屋根の他の瓦棧の棟側端面に圧接して葺設する構成とし、瓦棧間に、確実かつ安定して葺設すること、また、瓦棧の取付け間隔に対応すること。
「１６」  前記「１４」と「１５」の葺設をすることで、屋根の断熱効果と、防音効果を図る。
「１７」  瓦とは切離した下葺き材であり、その取扱い、例えば、搬送、葺設時を始めとして、結束時において、容易な取扱いを図ること、使い勝手を良くすること。
「１８」  屋根裏に熱のこもり、及び／又は、雨水の滞留がなく、劣化の要因を排除すること。
【００３４】
請求項５は、屋根のルーフィングの上に葺設される桁方向に長く、かつ瓦棧間に葺設される発泡樹脂の下葺き材であり、
下葺き材の短手方向の他方の下面側に衝突片を延設し、また、衝突片を、その長手方向に延設する構成とし、
衝突片を、屋根の下の瓦棧の棟側端面に圧接して葺設する構成とした屋根発泡下葺き材の構造である。
【００３５】
請求項６の発明は、屋根のルーフィングの上で、かつ勾配方向に間隔をおいて敷設される多数の瓦棧と、屋根の桁方向に長く、かつ瓦棧間に葺設される発泡樹脂の下葺き材を利用し、屋根地に多数枚の瓦を葺設する葺設方法であって、
下葺き材の被せ片を、上の瓦棧の上面に被せるとともに、下葺き材の棟側端面を、上の瓦棧の軒側端面に当接し、また、下葺き材の衝突片の軒側端面を、下の瓦棧の棟側端面に当接して葺設し、
上下の瓦棧間に敷設した下葺き材の上面に、瓦を葺設するとともに、上の瓦棧の棟側端面に、瓦の引掛けの頭側端面を係止するとともに、下葺き材の衝突片の上面に、下の瓦の引掛けの下面を当接して葺設する構成とした屋根発泡下葺き材を利用して瓦を葺設する葺設方法である。
【００３６】
請求項６の発明は、次に挙げる特徴を発揮できる下葺き材を利用して瓦を葺設する方法を提供する。
「１９」  請求項１の意図を達成できること。
「２０」  屋根勾配に添って、瓦及び／又は下葺き材等の容易な葺設と、施工をできること。
「２１」  屋根の断熱効果と、防音効果をできること。
「２２」  下葺き材の歪み防止と、釘なし・簡易な作業で施工をできること。
【図面の簡単な説明】
【００３７】
【図１】屋根全体を示した縮尺俯瞰図
【図２−１】下葺き材の一例を示した表面視した斜視図
【図２−２】下葺き材の一例を示した裏面視した斜視図
【図３】葺設状態であって、屋根地とルーフィング、並びに下葺き材と、瓦等との関係の一例を断面視して示した拡大側面図
【図４】図３の要部の拡大断面模式図
【図５−１】下葺き材の他の一例を示した表面視した斜視図
【図５−２】下葺き材の他の一例を示した裏面視した斜視図
【図６】図５−１の要部の正面図
【図７】図５−１の要部の葺設状態で、突起が瓦棧に、圧接及び／又は縮んだ状態の側面図
【図８】図２−１、又は図５における衝突片が瓦棧に、圧接及び／又は縮んだ状態の側面図
【図９】下葺き材のさらに他の一例の要部の正面図
【発明を実施するための形態】
【００３８】
本発明の一実施例を説明する。
【００３９】
図１〜図４に示した一例では、１は、発泡樹脂で成形した下葺き材であり、この下葺き材１は、その長手方向１ａが長く形成されており、この長手方向１ａは、屋根Ｒの桁方向Ｒ−１に長く葺設される。また、その短手方向１ｂが短く形成されており、この短手方向１ｂは、勾配方向Ｒ−２（軒棟方向）に間隔をおいて葺設した上下の瓦棧Ｄ、Ｄ間に葺設される。そして、この短手方向１ｂの棟側１−３（一方）であって、その上面１−１には庇形状の被せ片２が延設されている。この被せ片２は、この下葺き材１の長手方向１ａの全体に形成される。尚、この棟側１−３で、かつ被せ片２の下面１−２（下葺き材１の下側と同じ符号とする）には切欠き部３を形成し、この切欠き部３の端面を、葺設状態で略俯角な棟側端面３−１とする。そして、この下葺き材１の短手方向１ｂの軒側１−４（他方）であって、その下面１−２には舌形状の衝突片５が延設されている。この衝突片５は、この下葺き材１の長手方向１ａの全体に形成される。そして、この衝突片５の棟側１−４の端面を、葺設状態で略垂直な軒側端面５−１とする。尚、上下の瓦棧Ｄ、Ｄの如く、この上下の意味は、理解を容易にするために、図示の例の位置関係で説明した（他の上下もの意味も同じ）ので、一例である。
【００４０】
この下葺き材１は、図４に示す如く、その上面１−１は、「下面１−２を基準として（０レベルとして）」、軒側１−４が高く、その棟側１−３に向って低く形成し、瓦Ａの裏面Ａ−１の登り勾配Ｂに相似する構成とする。また、その下面１−２は、軒側１−４から棟側１−３に亘って、ルーフィングＣに略添接する。従って、側面視すると、軒側１−４を肉厚部１０１とし、順次、肉薄形状となり、中間肉厚部１０２を経て、その棟側１−３が、肉薄部１０３となる三角形状の側端面１００を構成とする。この下葺き材１は、屋根地Ｒ−４に敷設したルーフィングＣの上面Ｃ−１に葺設するとともに、瓦棧Ｄ、Ｄ間に葺設される。そして、この下葺き材１の被せ片２を上の瓦棧Ｄの略１／２（一例である）被せ、また、衝突片５を下の瓦棧Ｄの棟側端部Ｄ−１に当接する。
【００４１】
また、この被せ片２を庇形状とすることで、瓦棧Ｄに略１／２載架した状態で、違和感なく、瓦Ａを葺設できること、また、従来の瓦Ａの葺設工法が採用できる。そして、図６の如く、被せ片２の下面１−２に形成される切欠き部３の棟側端面３−１には、多数の突条２００を突設する。この多数の突条２００は、圧縮、又は圧縮解放（復帰）できる可撓性を有しており、この棟側端面３−１の上下方向で、かつ棟側１−３に向かって突設した構造とすることで、例えば、この突条２００を、前記瓦棧Ｄの軒側端面Ｄ−３に圧接し、緩衝効果及び／又は換気効果を図ること、又は瓦棧Ｄ、Ｄ間が、下葺き材の短手方向１ｂより短尺の場合（勾配方向Ｒ２における瓦棧Ｄの地割り）には、この短尺の寸法に、この突条２００と衝突片５の勾配方向Ｒ２の寸法（図示せず）を合わせる。その一例が、この突条２００を、圧縮する（撓ませる）方法であり、この圧縮で、この下葺き材１を、この短尺の瓦棧Ｄ、Ｄ間に圧入する。従って、この例の地割り寸法に対応できる利点がある。
【００４２】
さらに、前記衝突片５を舌形状とすることで、この衝突片５は、圧縮、又は圧縮解放（復帰）できる可撓性を有する。従って、この衝突片５を圧縮することで、例えば、短尺の地割りに対応できる。この一例を、図８に示しており、例えば、この衝突片５を、瓦棧Ｄの棟側端面Ｄ−１に圧接し、圧縮することで、この衝突片５と、切欠き部３の棟側端面３−１か、又は突条２００と勾配方向Ｒ２の寸法（図示せず）を、短尺の寸法に合わせる方法である。これによって、この衝突片５を備えた構造では、勾配方向Ｒ２において地割に対応できる。
【００４３】
次に、下葺き材１を利用した屋根Ｒの葺設方法の一例を説明すると、屋根地Ｒ−４の上に、かつその勾配方向Ｒ―２にルーフィングＣを敷設する。このルーフィング１０の上に、かつその勾配方向Ｒ―２に瓦棧Ｄを地割りに添って敷設する。この瓦棧Ｄ間で、かつ、屋根Ｒの桁方向Ｒ−１に長く、かつ瓦棧Ｄ、Ｄ間の寸法に合わせて、発泡樹脂の下葺き材１を葺設する。即ち、この下葺き材１の被せ片２を、瓦棧Ｄの上面Ｄ−２に被せるとともに、下葺き材１の（切欠き部３の）棟側端面３−１、又は突条２００を、瓦棧Ｄの軒側端面Ｄ−３に当接し、また、下葺き材１の衝突片５の軒側端面５−１を、下の瓦棧Ｄの棟側端面Ｄ−１に当接して葺設する。このように葺設した下葺き材１の上に瓦Ａを葺設すると、この下葺き材１の上下面１−１、１−２は、瓦Ａの裏面Ａ−１と、ルーフィングＣの上面Ｃ−１の間に設けられた状態で敷設される。尚、図示しないが、この上下面１−１、１−２と、瓦Ａの裏面Ａ−１、及び／又は、ルーフィングＣの上面Ｃ−１の間に、隙間を設ける構造とすれば、例えば、断熱効果を有し、かつ屋根地Ｒ３と瓦Ａ、下葺き材１等との換気、又はその乾燥に役立てること、又は緩衝効果と、騒音防止等にも役立つと考えられる。
【００４４】
前記瓦Ａの葺設の際に、その尻側Ａ−２を、被せ片２の上面２−２に重畳するようにし、かつその引掛けＥの頭側端面Ｅ−１を、瓦棧Ｄの棟側端部Ｄ−１に係止するとともに、この引掛けＥの下面Ｅ−２は、上の下葺き材１（「棟側」の下葺き材１）の上面５−２に当接される。これにより、上の下葺き材１をルーフィングＣの上に固定できる。また、この瓦Ａの頭側Ａ−３は、下の下葺き材１（「軒側」の下葺き材１）の衝突片５の上面５−２に当接され、かつ下の瓦棧Ｄの上面Ｄ−２に重畳された被せ片２の上面２−２に葺設された、下の瓦Ａ（「軒側」の瓦Ａ）に重畳するように葺設される。これにより、下の下葺き材１をルーフィングＣの上に固定できる。この葺設で、この瓦Ａの尻側Ａ−２は、上の瓦Ａの頭側Ａ−３の下側に葺設され（この瓦Ａの尻側Ａ−２の上に、上の瓦Ａの頭側Ａ−３が載る）、かつこの瓦Ａの頭側Ａ−３が、下の瓦Ａの尻側Ａ−２に葺設される（この瓦Ａの頭側Ａ−３の下に、下の瓦Ａの尻側Ａ−２が葺設される）ことで、この瓦Ａの表面Ａ−４は、登り勾配Ｂとなる。
【００４５】
本発明は、下葺き材１を瓦棧Ｄ、Ｄ間に葺設し、かつ下葺き材１と瓦棧Ｄ、Ｄの密着性を確保する構造とすることで、例えば、断熱効果と、ズレ防止、又は振動・風等に起因するガタ防止が図れる。さらに、釘なし、接着剤なしでの葺設も可能とするとともに、施工の容易化と、経済性を確保することが可能となり有益である。この密着性の確保は、例えば、夏季では、太陽光線で熱せられて約７０〜８０℃程度に温度上昇した瓦が放散する熱を遮断し、屋根地Ｒ−４から、屋根裏、小屋裏、又は天井裏等（屋根裏とする）を介して、室内への伝播を遮断することと、室内温度の上昇を回避できること、冷房に多くのエネルギーを消費し、かつ資源の無駄がなくなること等の特徴がある。そして、また、一方、冬季では、暖房装置で暖められた空気が上昇し、屋根裏から、屋根地Ｒ−４と瓦Ａ等を介して、室外に逃げ、室内の温度が下がることを回避し、室内暖房に多くのエネルギーと、資源を要すること等の課題を解決できること等の特徴がある。そして、さらに、地球温暖化防止に寄与することができる。尚、この下葺き材１の高さ寸法は、軒側１−４の上下面１−１、１−２を肉厚部１０１とし、順次、肉薄形状となり、中間肉厚部１０２を経て、棟側１−３の上下面１−１、１−２を、肉薄部１０３となる三角形状の側端面１００とする構成であり、その寸法は、肉厚部１０１が略３０ｍｍ〜４５ｍｍ、中間肉厚部１０２が略２１ｍｍ〜３５ｍｍ、肉厚部１０３が略１２ｍｍ〜２５ｍｍ、の範囲であるが、断熱等の効果、軽量化、又は運搬、結束、或いはコスト等を考慮して、望ましい、一例では、肉厚部１０１が略４０ｍｍ、中間肉厚部１０２が略３０ｍｍ、肉厚部１０３が略１８ｍｍ、とする。また、長手方向１ａは、略２ｍ〜３ｍ、その短手方向１ｂは、略２２０ｍｍ〜２６０ｍｍの範囲であるが、断熱等の効果、軽量化、又は運搬、結束、設置等を考慮して、望ましい、一例では、長手方向１ａは、略３ｍ、短手方向１ｂは、瓦棧Ｄ、Ｄの標準間隔と、瓦Ａ（棧瓦、平板瓦、Ｓ瓦等の各瓦である）の葺合せ寸法に対応する。尚、図示しないが、この下葺き材１は、耐震、強度の向上、屋根勾配、瓦（後述する）の形態等を考慮し、例えば、釘止め、貼着（接着）、圧嵌等の固定方法もあり得る。そして、前記厚さ略１５ｍｍでの断熱効果を試験したが、十分な成果が得られた。
【００４６】
尚、この下葺き材１の下面１−２で、かつその長手方向１ａに凹み溝１０４を多数本設けることで、例えば、瓦Ａ及び／又は下葺き材１とルーフィングＣの上面Ｃ−１間等を流れる雨水、風を、長手方向１ａ（屋根Ｒの桁方向Ｒ−１）に誘導でき、この流れの確保と、雨仕舞いの有効性を確保でき、例えば、屋根裏に熱のこもり及び／又は雨水の滞留がなく、屋根Ｒを始め、下葺き材１、屋根地Ｒ−４、瓦棧Ｄ、Ｄ等の劣化に影響する悪い要因を排除できる有益性を備えている。尚、この凹み溝１０４は、その深さを略５〜１０ｍｍの半截曲面とすることにより、この下葺き材１の耐久性と、断熱効果と、並びに施工の容易化と、経済性を確保することが可能となり有益である。
【００４７】
また、その他の例として、図９に示した構造も可能である。この一例では、下葺き材１の短手方向１ｂの一方の上面１−１側に被せ片２を設けないか、又は僅かに延設する構成で、その下葺き材１の棟側１−３の長手方向の端面は、切欠き部３の棟側端面３−１に相当することなり、この棟側１−３は、葺設状態で略俯角な棟側端面３−１となる。また、この棟側端面３−１には、多数の突条２００を突設することも可能である。尚、図示しないが、この突条２００を有さない構造も可能である。そして、この一例では、この下葺き材１の下面１−２で、かつその長手方向１ａに凹み溝１０４を多数本設けることも可能である。尚、図示しないが、この凹み溝１０４を有さない構造も可能である。その他の構成や特徴、或いは、葺設に関しては下葺き材１の各一例と同様である。
【符号の説明】
【００４８】
１            下葺き材
１ａ          長手方向
１ｂ          短手方向
１−１        下面
１−２        上面
１−３        棟側
１−４        軒側
１００        側端面
１０１        肉厚部
１０２        中間肉厚部
１０３        肉薄部
１０４        凹み溝
２            被せ片
２−２        上面
２００        突条
３            切欠き部
３−１        棟側端面
５            衝突片
５−１        軒側端面
５−２        上面
Ａ            瓦
Ａ−１        裏面
Ａ−２        尻側
Ａ−３        頭側
Ａ−４        表面
Ｂ            登り勾配
Ｃ            ルーフィング
Ｃ−１        上面
Ｄ            瓦棧
Ｄ−１        棟側端面
Ｄ−２        上面
Ｄ−３        軒側端面
Ｅ            引掛け
Ｅ−１        頭側端面
Ｅ−２        下面
Ｒ            屋根
Ｒ−１        桁方向
Ｒ−２        勾配方向
Ｒ−３        棟方向
Ｒ−４        屋根地
【図１】
2011021326.tif 000003
【図２−１】
2011021326.tif 000004
【図２−２】
2011021326.tif 000005
【図３】
2011021326.tif 000006
【図４】
2011021326.tif 000007
【図５−１】
2011021326.tif 000008
【図５−２】
2011021326.tif 000009
【図６】
2011021326.tif 000010
【図７】
2011021326.tif 000011
【図８】
2011021326.tif 000012
【図９】
2011021326.tif 000013